【手続補正書】
【提出日】平成24年4月11日(2012.4.11)
【手続補正１】
【補正対象書類名】特許請求の範囲
【補正対象項目名】全文
【補正方法】変更
【補正の内容】
【特許請求の範囲】
【請求項１】
（ａ）ポリマーマトリックスを含むホログラフィック記録媒体と、
（ｂ）ホログラフィ像と、
を含むホログラフィックセンサであって、
前記ホログラフィ像は、前記ホログラフィック記録媒体に回折フリンジとして記録された少なくとも１つのホログラフィ像であって、
前記回折フリンジは、橋かけ環を含む二量体構造を含み、
前記ホログラフィック記録媒体が、少なくとも１つの出力信号を提供して外部刺激に応答する、ホログラフィックセンサ。
【請求項２】
前記二量体構造によって前記ポリマーマトリックスが架橋される、請求項１に記載のホログラフィックセンサ。
【請求項３】
前記ポリマーマトリックスが、回折フリンジの一部である二量体構造による架橋に加え、さらに前記二量体構造とは異なる架橋基によりランダムに架橋される、請求項１または２に記載のホログラフィックセンサ。
【請求項４】
前記回折フリンジが、（ｉ）二量体構造の密度が相対的に低い部分を含む暗縞と、（ｉｉ）二量体構造の密度が相対的に高い部分を含む明縞とを含み、前記ポリマーマトリックスが、外部刺激に対し、前記明縞と比べて前記暗縞においてより高い膨潤度で応答し、それによって、前記ホログラフィック記録媒体に記録された前記ホログラフィ像の再生波長が変動する、請求項１から３のいずれか一項に記載のホログラフィックセンサ。
【請求項５】
前記ポリマーマトリックスがゼラチン又はポリマーを含み、前記ポリマーは、２−ヒドロキシエチルメタクリレート（ＨＥＭＡ）、２−ヒドロキシプロピルメタクリレート（ＨＰＭＡ）、Ｎ，Ｎ−ジメチルアクリルアミド（ＤＭＡＡ）、ポリ（エチレングリコール）モノメタクリレート（ＰＥＧＭＡ）、酢酸ビニル、アクリルアミド、Ｎ−イソプロピルアクリルアミド、アクリル酸（ＡＡ）、メタクリル酸（ＭＡＡ）、Ｎ，Ｎ−メチレンビスアクリルアミド（ＢＩＳ）、エチレングリコールジメタクリレート（ＥＤＭＡ）、２−アクリルアミド−２−メチルプロパンスルホン酸（ＡＭＰＳ）、メタクリル酸のナトリウム塩、２−（ジメチルアミノエチル）メタクリレート（ＤＭＡＥＭＡ）、スチレン４−スルホン酸、及び２−（Ｎ，Ｎジメチル−Ｎ−（２−メタクリルオキシエチル）アンモニウム）エタン酸のうちの１種類又は複数種類の単量体のポリマーで構成される、請求項１から４のいずれか一項に記載のホログラフィックセンサ。
【請求項６】
前記橋かけ環がシクロブチルである、請求項１から５のいずれか一項に記載のホログラフィックセンサ。
【請求項７】
前記回折フリンジが、シンナモイル、カルコン、アントラセン、クマリン、スチルバゾリウム、マレイミド、又はそれらの誘導体のうちの１つ又は複数の二量体を含む、請求項１から６のいずれか一項に記載のホログラフィックセンサ。
【請求項８】
前記回折フリンジが、式：
【化１】
2011523452.tif 000001
で表される二量体を含み、
式中：
Ｒ１、Ｒ２、Ｒ’１、及びＲ’２は、各々独立して、Ｃ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ（各々、−ＯＨ、−ＮＲｂＲｃ、若しくはハロゲンで任意に置換されている）であるか、又はＲ１及びＲ２は、それらが結合する炭素原子と共に飽和若しくは不飽和の５員若しくは６員炭化水素環若しくは複素環を形成し、ここで、Ｃ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ及び炭化水素環又は複素環は、各々、−ＯＨ、−ＮＲｂＲｃ、又はハロゲンで任意に置換されており；
Ｒ３は、窒素又は酸素に任意に置き換えられるか、及び／又は、−ＣＯＯＨ、−ＣＯＸ、−ＯＨ、−ＮＲｂＲｃ、アクリレート、メタクリレート、アクリルアミド、−ＳＲａ、−Ｓｉ（Ｒａ）２Ｘ、又はＳｉ（Ｒａ）３で任意に置換されている１個以上の炭素原子を有する直鎖状若しくは分枝鎖状Ｃ１〜Ｃ２０アルキル又はＣ３〜Ｃ１０環状アルキルであり；又はＲ３は、平均分子量１２０００以下のポリ（エチレングリコール）（ＰＥＧ）（ここでヒドロキシル基は、アミン、−ＣＯＯＨ、−ＣＯＸ、アクリレート、メタクリレート、アクリルアミド、−ＳＲａ、−Ｓｉ（Ｒａ）２Ｘ若しくは−Ｓｉ（Ｒａ）３に任意に置き換えられる）であり；又はＲ３は、−（ＰＥＧ）分子量≦１２０００Ｃ（Ｏ）Ｏ−ＮＨＳ、若しくは−（ＰＥＧ）分子量≦１２０００Ｃ（Ｏ）Ｏ−スルホ−ＮＨＳであり；
Ｘは、ハロゲンであり；
Ｒａは、水素又は直鎖状若しくは分枝鎖状Ｃ１〜Ｃ１０アルキル又はＣ３〜Ｃ１０環状アルキルであり；及び
Ｒｂ及びＲｃは、各々独立して、水素又はＣ１〜Ｃ６アルキルである、
請求項１から７のいずれか一項に記載のホログラフィックセンサ。
【請求項９】
前記二量化可能な化学基が前記ポリマーマトリックスと共有結合し、前記ポリマーマトリックスが、前記二量化可能な化学基を含む第１の化合物と、２−ヒドロキシエチルメタクリレート（ＨＥＭＡ）、２−ヒドロキシプロピルメタクリレート（ＨＰＭＡ）、Ｎ，Ｎ−ジメチルアクリルアミド（ＤＭＡＡ）、ポリ（エチレングリコール）モノメタクリレート（ＰＥＧＭＡ）、酢酸ビニル、アクリルアミド、Ｎ−イソプロピルアクリルアミド、アクリル酸（ＡＡ）、メタクリル酸（ＭＡＡ）、Ｎ，Ｎ−メチレンビスアクリルアミド（ＢＩＳ）、エチレングリコールジメタクリレート（ＥＤＭＡ）、２−アクリルアミド−２−メチルプロパンスルホン酸（ＡＭＰＳ）、メタクリル酸のナトリウム塩、２−（ジメチルアミノエチル）メタクリレート（ＤＭＡＥＭＡ）、スチレン４−スルホン酸、及び２−（Ｎ，Ｎジメチル−Ｎ−（２−メタクリルオキシエチル）アンモニウム）エタン酸からなる群から選択される第２の化合物とのポリマーを含む、請求項１から８のいずれか一項に記載のホログラフィックセンサ。
【請求項１０】
前記回折フリンジが、式：
【化２】
2011523452.tif 000002
で表される二量体構造を含み、
式中、
Ｒ１、Ｒ２、Ｒ’１、及びＲ’２は、各々独立して、Ｃ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ（各々、−ＯＨ、−ＮＲｂＲｃ、若しくはハロゲンで任意に置換されている）であるか、又はＲ１及びＲ２は、それらが結合する炭素原子と共に飽和若しくは不飽和の５員若しくは６員炭化水素環若しくは複素環を形成し、ここで、Ｃ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ及び炭化水素環又は複素環は、各々、−ＯＨ、−ＮＲｂＲｃ、又はハロゲンで任意に置換されており；
Ｒ’３は、直鎖状若しくは分枝鎖状Ｃ１〜Ｃ２０ジアルキル又はＣ３〜Ｃ１０環状ジアルキル［ここでＣ１〜Ｃ１０ジアルキル又はＣ３〜Ｃ１０環状ジアルキルは、窒素又は酸素に任意に置き換えられる１個以上（例えば、１、２、３、４、５、６、７、８、９、又は１０個）の炭素原子を有する］であるか、又はＲ’３は、−Ｃ（Ｏ）−、−Ｓｉ（Ｒａ）２−、若しくは−（ＰＥＧ）分子量≦１２０００−であり；
Ｒ４、Ｒ５及びＲ６は、各々独立して、水素であるか、又はＣ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ（各々、−ＯＨ、−ＮＲｂＲｃ、若しくはハロゲンで任意に置換されている）であり；
Ｒａは、水素又は直鎖状若しくは分枝鎖状Ｃ１〜Ｃ１０アルキル又はＣ３〜Ｃ１０環状アルキルであり；及び
Ｒｂ及びＲｃは、各々独立して、水素又はＣ１〜Ｃ６アルキルである、
請求項１から９のいずれか一項に記載のホログラフィックセンサ。
【請求項１１】
前記回折フリンジが、式：
【化３】
2011523452.tif 000003
で表される二量体を含む、請求項１から１０のいずれか一項に記載のホログラフィックセンサ。
【請求項１２】
前記ポリマーマトリックスと共有結合した第１の二量化可能な化学基と、式Ｄ−ＦＧの付加物（式中、Ｄは第２の二量化可能な化学基であり、ＦＧは官能性付与基である）との光環化付加による二量化によって形成された橋かけ環を含む複数の官能性二量体構造をさらに含む、請求項１から１１のいずれか一項に記載のホログラフィックセンサ。
【請求項１３】
前記官能性二量体構造は、構造式（ＶＩＩｂ）：
【化４】
2011523452.tif 000004
で表され、
式中、
Ｒ１、Ｒ２、Ｒ’１、及びＲ’２は、各々独立して、Ｃ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ（各々、−ＯＨ、−ＮＲｂＲｃ、若しくはハロゲンで任意に置換されている）であるか、又はＲ１及びＲ２は、それらが結合する炭素原子と共に飽和若しくは不飽和の５員若しくは６員炭化水素環若しくは複素環を形成し、ここで、Ｃ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ及び炭化水素環又は複素環は、各々、−ＯＨ、−ＮＲｂＲｃ、又はハロゲンで任意に置換されており；
Ｒ’３は、直鎖状若しくは分枝鎖状Ｃ１〜Ｃ２０ジアルキル又はＣ３〜Ｃ１０環式ジアルキル（ここでＣ１〜Ｃ１０ジアルキル又はＣ３〜Ｃ１０環状ジアルキルは、窒素又は酸素に任意に置き換えられる１個以上（例えば、１、２、３、４、５、６、７、８、９、又は１０個）の炭素原子を有する）であるか、又はＲ’３は、−Ｃ（Ｏ）−、−Ｓｉ（Ｒａ）２−、若しくは−（ＰＥＧ）分子量≦１２０００−であり；
Ｒ４、Ｒ５及びＲ６は、各々独立して、水素であるか、又はＣ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ（各々、−ＯＨ、−ＮＲｂＲｃ、若しくはハロゲンで任意に置換されている）であり；
Ｒａは、水素又は直鎖状若しくは分枝鎖状Ｃ１〜Ｃ１０アルキル又はＣ３〜Ｃ１０環式アルキルであり；及び
Ｒｂ及びＲｃは、各々独立して、水素又はＣ１〜Ｃ６アルキルである、
請求項１２に記載のホログラフィックセンサ。
【請求項１４】
Ｒ１及びＲ２が、各々独立して、水素、ハロゲン、Ｃ１〜Ｃ６アルキル、又はＣ３〜Ｃ６シクロアルキル（各々、−ＯＨ、−ＮＲｂＲｃ、又はハロゲンで任意に置換されている）であり；
Ｒ’３が、直鎖状若しくは分枝鎖状Ｃ１〜Ｃ６ジアルキル又はＣ３〜Ｃ６環式ジアルキル又は平均分子量が１２０００以下のポリ（エチレングリコール）であり；及び
Ｒ４、Ｒ５及びＲ６が、各々独立して、水素又はＣ１〜Ｃ６アルキルである、
請求項１２又は１３に記載のホログラフィックセンサ。
【請求項１５】
Ｒ１及びＲ２が、各々独立して、Ｃ１〜Ｃ６アルキル（−ＯＨ、−ＮＲｂＲｃ、又はハロゲンで任意に置換されている）であり；及び
Ｒ’３が、直鎖状若しくは分枝鎖状Ｃ１〜Ｃ１０ジアルキル又は−（ＰＥＧ）分子量≦１２０００−である、
請求項１２から１４のいずれか一項に記載のホログラフィックセンサ。
【請求項１６】
前記官能性二量体構造が、構造式（ＶＩＩｃ）：
【化５】
2011523452.tif 000005
で表される、請求項１５に記載のホログラフィックセンサ。
【請求項１７】
ＦＧが、リガンド、抗体、酵素、タンパク質、キレート剤、受容体、刺激応答性オリゴマー又は刺激応答性ポリマーである、請求項１２から１６のいずれか一項に記載のホログラフィックセンサ。
【請求項１８】
ＦＧが、フェニルボロン酸類又はビスボロン酸類である、請求項１２〜１７のいずれか一項に記載のホログラフィックセンサ。
【請求項１９】
ＦＧが、構造式（ＩＸａ）又は（ＩＸｂ）：
【化６】
2011523452.tif 000006
で表され、
式中、ｎは、０、１又は２であり、各Ｒは、独立して、水素、ハロゲン、Ｃ１〜Ｃ６アルキル、ＮＯ２、シアノ、ＣＯＯアルキル、ＣＯアルキル又はＣＦ３である、請求項１２〜１８のいずれか一項に記載のホログラフィックセンサ。
【請求項２０】
ＦＧが、構造式：
【化７】
2011523452.tif 000007
で表される、請求項１９に記載のホログラフィックセンサ。
【請求項２１】
前記ポリマーマトリックスと共有結合した第１の二量化可能な化学基と、式Ｄ−ＦＧの付加物（式中、Ｄは第２の二量化可能な化学基であり、ＦＧは官能性付与基である）との光環化付加による二量化によって形成された橋かけ環を含む複数の官能性二量体構造をさらに含み、
前記官能性二量体構造が、構造式（Ｘ）：
【化８】
2011523452.tif 000008
で表される下部構造を含む、請求項１〜２０のいずれか一項に記載のホログラフィックセンサ。
【請求項２２】
前記ホログラフィック記録媒体が、前記ポリマーマトリックスと共有結合した複数の受容体基をさらに含む、請求項１〜２１のいずれか一項に記載のホログラフィックセンサ。
【請求項２３】
前記ポリマーマトリックスが、前記受容体基を含む単量体と、二量化可能な化学基を含む単量体と、２−ヒドロキシエチルメタクリレート（ＨＥＭＡ）、２−ヒドロキシプロピルメタクリレート（ＨＰＭＡ）、Ｎ，Ｎ−ジメチルアクリルアミド（ＤＭＡＡ）、ポリ（エチレングリコール）モノメタクリレート（ＰＥＧＭＡ）、酢酸ビニル、アクリルアミド、Ｎ−イソプロピルアクリルアミド、アクリル酸（ＡＡ）、メタクリル酸（ＭＡＡ）、Ｎ，Ｎ−メチレンビスアクリルアミド（ＢＩＳ）、エチレングリコールジメタクリレート（ＥＤＭＡ）、２−アクリルアミド−２−メチルプロパンスルホン酸（ＡＭＰＳ）、メタクリル酸のナトリウム塩、２−（ジメチルアミノエチル）メタクリレート（ＤＭＡＥＭＡ）、スチレン４−スルホン酸、及び２−（Ｎ，Ｎジメチル−Ｎ−（２−メタクリルオキシエチル）アンモニウム）エタン酸からなる群から選択される１つ又は複数の化合物との共重合により調製されたポリマーを含む、請求項２２に記載のホログラフィックセンサ。
【請求項２４】
前記受容体基が３−アクリルアミドフェニルボロン酸である、請求項２３に記載のホログラフィックセンサ。
【請求項２５】
外部刺激の存在を検出する方法であって、
（１）ホログラフィックセンサを提供する工程と、
（２）外部刺激の存在を検出する工程と、
を含み、
前記工程（１）において、前記センサは、
（ａ）ポリマーマトリックスを含むホログラフィック記録媒体と、
（ｂ）ホログラフィ像と、
を含むホログラフィックセンサであって、
前記ホログラフィ像は、前記ホログラフィック記録媒体に回折フリンジとして記録された少なくとも１つのホログラフィ像であって、
前記回折フリンジは、橋かけ環を含む二量体構造を含み、
ここで、前記ホログラフィック記録媒体は、少なくとも１つの出力信号を提供して外部刺激に応答し、
前記工程（２）において、前記少なくとも１つの出力信号の存在を検出して、それにより前記外部刺激の存在を検出する、
方法。
【請求項２６】
前記外部刺激が分析物を含む流体であり、前記ホログラフィックセンサを提供する工程が、前記ホログラフィック記録媒体を膨潤させる工程を含む、請求項２５に記載の方法。
【請求項２７】
前記ホログラフィック記録媒体を膨潤させる工程が、前記流体中の分析物の濃度に依存する、請求項２５または２６に記載の方法。
【手続補正２】
【補正対象書類名】明細書
【補正対象項目名】０２１９
【補正方法】変更
【補正の内容】
【０２１９】
本発明は、特にその例示的な実施形態を参照して図示及び説明されているが、当業者は、添付の特許請求の範囲により包含される本発明の範囲から逸脱することなく、その形態及び詳細を様々に変更し得ることを理解するであろう。
なお、本発明は、実施態様として以下の内容を含んでいてもよい。
【実施態様１】
（ａ）ポリマーマトリックスを含むホログラフィック記録媒体と、
（ｂ）ホログラフィ像と、
を含むホログラフィックセンサであって、
前記ホログラフィ像は、前記ホログラフィック記録媒体に回折フリンジとして記録された少なくとも１つのホログラフィ像であって、
前記回折フリンジは、橋かけ環を含む二量体構造を含み、
前記ホログラフィック記録媒体が、少なくとも１つの出力信号を提供して外部刺激に応答する、ホログラフィックセンサ。
【実施態様２】
前記ホログラフィック記録媒体の物理的又は化学的特性が、外部刺激に応答して変化する、実施態様１に記載のホログラフィックセンサ。
【実施態様３】
前記出力信号が光学信号である、実施態様１に記載のホログラフィックセンサ。
【実施態様４】
前記二量体構造によって前記ポリマーマトリックスが架橋される、実施態様１に記載のホログラフィックセンサ。
【実施態様５】
前記ポリマーマトリックスが、回折フリンジの一部である二量体構造による架橋に加え、さらに架橋される、実施態様１に記載のホログラフィックセンサ。
【実施態様６】
前記ポリマーマトリックスが、前記二量体構造とは異なる架橋基によりランダムに架橋される、実施態様５に記載のホログラフィックセンサ。
【実施態様７】
前記ポリマーマトリックスが外部刺激に応答して膨潤する、実施態様６に記載のホログラフィックセンサ。
【実施態様８】
前記外部刺激として流体による刺激を含み、前記ポリマーマトリックスが、前記流体と接触したとき、膨潤することにより応答する、実施態様７に記載のホログラフィックセンサ。
【実施態様９】
前記外部刺激が分析物をさらに含み、前記ポリマーマトリックスの膨潤度が、前記流体中に存在する前記分析物の量と相関する、実施態様８に記載のホログラフィックセンサ。
【実施態様１０】
前記外部刺激がプロトン性物質を含む流体であり、且つ前記ポリマーマトリックスが親水性であるか；又は
前記外部刺激が非プロトン性若しくは無極性物質を含む流体であり、且つ前記ポリマーマトリックスが疎水性である、実施態様７に記載のホログラフィックセンサ。
【実施態様１１】
前記ポリマーマトリックスが、親水性単量体、両親媒性単量体、温度応答性単量体、ｐＨ応答性単量体及び疎水性単量体からなる群から選択される１種類又は複数種類の単量体のポリマー又はコポリマーを含む、実施態様１に記載のホログラフィックセンサ。
【実施態様１２】
前記回折フリンジが前記ポリマーマトリックスと共有結合する、実施態様１に記載のホログラフィックセンサ。
【実施態様１３】
前記ポリマーマトリックスと前記回折フリンジの一部である二量体構造とが、相互貫入ポリマーネットワークを形成しない、実施態様１に記載のホログラフィックセンサ。
【実施態様１４】
前記回折フリンジが、（ｉ）二量体構造の密度が相対的に低い部分を含む暗縞と、（ｉｉ）二量体構造の密度が相対的に高い部分を含む明縞とを含む、実施態様１に記載のホログラフィックセンサ。
【実施態様１５】
前記ポリマーマトリックスが、外部刺激に対し、前記明縞と比べて前記暗縞においてより高い膨潤度で応答し、それによって、前記ホログラフィック記録媒体に記録された前記ホログラフィ像の再生波長が変動する、実施態様１４に記載のホログラフィックセンサ。
【実施態様１６】
前記外部刺激が、湿度、水、気体、蒸気、有機又は無機溶剤、化学物質、金属イオン、化学物質の溶液又は分散液、圧力、温度、ｐＨ、電磁波、磁界、電界、電離放射線、プロトン性物質、非プロトン性物質、流体、及び分析物を含む流体のうちの１つ又は複数である、実施態様１に記載のホログラフィックセンサ。
【実施態様１７】
前記出力信号が、前記ホログラフィック記録媒体に記録された少なくとも１つのホログラフィ像の再生波長の変動、前記ホログラフィック記録媒体に記録された付加的なホログラフィ像の出現、及び前記ホログラフィック記録媒体に記録された少なくとも１つのホログラフィ像の消失から選択される、実施態様１６に記載のホログラフィックセンサ。
【実施態様１８】
前記外部刺激が、湿度、酸性度、金属イオン、及び単糖類、二糖類又は多糖類を含む液体から選択され、且つ前記出力信号が、前記ホログラフィック記録媒体に記録された少なくとも１つのホログラフィ像の再生波長の変動、前記ホログラフィック記録媒体に記録された付加的なホログラフィ像の出現、及び前記ホログラフィック記録媒体に記録された少なくとも１つのホログラフィ像の消失から選択される、実施態様１７に記載のホログラフィックセンサ。
【実施態様１９】
前記ポリマーマトリックスがゼラチン又はポリマーを含み、前記ポリマーは、２−ヒドロキシエチルメタクリレート（ＨＥＭＡ）、２−ヒドロキシプロピルメタクリレート（ＨＰＭＡ）、Ｎ，Ｎ−ジメチルアクリルアミド（ＤＭＡＡ）、ポリ（エチレングリコール）モノメタクリレート（ＰＥＧＭＡ）、酢酸ビニル、アクリルアミド、Ｎ−イソプロピルアクリルアミド、アクリル酸（ＡＡ）、メタクリル酸（ＭＡＡ）、Ｎ，Ｎ−メチレンビスアクリルアミド（ＢＩＳ）、エチレングリコールジメタクリレート（ＥＤＭＡ）、２−アクリルアミド−２−メチルプロパンスルホン酸（ＡＭＰＳ）、メタクリル酸のナトリウム塩、２−（ジメチルアミノエチル）メタクリレート（ＤＭＡＥＭＡ）、スチレン４−スルホン酸、及び２−（Ｎ，Ｎジメチル−Ｎ−（２−メタクリルオキシエチル）アンモニウム）エタン酸のうちの１種類又は複数種類の単量体のポリマーで構成される、実施態様１に記載のホログラフィックセンサ。
【実施態様２０】
前記橋かけ環がシクロブチルである、実施態様１９に記載のホログラフィックセンサ。
【実施態様２１】
前記回折フリンジが、シンナモイル、カルコン、アントラセン、クマリン、スチルバゾリウム、マレイミド、又はそれらの誘導体のうちの１つ又は複数の二量体を含む、実施態様２０に記載のホログラフィックセンサ。
【実施態様２２】
前記回折フリンジが、式：
【化２４】
2011523452.tif 000009
で表される二量体を含み、
式中：
Ｒ１、Ｒ２、Ｒ’１、及びＲ’２は、各々独立して、Ｃ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ（各々、−ＯＨ、−ＮＲｂＲｃ、若しくはハロゲンで任意に置換されている）であるか、又はＲ１及びＲ２は、それらが結合する炭素原子と共に飽和若しくは不飽和の５員若しくは６員炭化水素環若しくは複素環を形成し、ここで、Ｃ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ及び炭化水素環又は複素環は、各々、−ＯＨ、−ＮＲｂＲｃ、又はハロゲンで任意に置換されており；
Ｒ３は、窒素又は酸素に任意に置き換えられるか、及び／又は、−ＣＯＯＨ、−ＣＯＸ、−ＯＨ、−ＮＲｂＲｃ、アクリレート、メタクリレート、アクリルアミド、−ＳＲａ、−Ｓｉ（Ｒａ）２Ｘ、又はＳｉ（Ｒａ）３で任意に置換されている１個以上の炭素原子を有する直鎖状若しくは分枝鎖状Ｃ１〜Ｃ２０アルキル又はＣ３〜Ｃ１０環状アルキルであり；又はＲ３は、平均分子量１２０００以下のポリ（エチレングリコール）（ＰＥＧ）（ここでヒドロキシル基は、アミン、−ＣＯＯＨ、−ＣＯＸ、アクリレート、メタクリレート、アクリルアミド、−ＳＲａ、−Ｓｉ（Ｒａ）２Ｘ若しくは−Ｓｉ（Ｒａ）３に任意に置き換えられる）であり；又はＲ３は、−（ＰＥＧ）分子量≦１２０００Ｃ（Ｏ）Ｏ−ＮＨＳ、若しくは−（ＰＥＧ）分子量≦１２０００Ｃ（Ｏ）Ｏ−スルホ−ＮＨＳであり；
Ｘは、ハロゲンであり；
Ｒａは、水素又は直鎖状若しくは分枝鎖状Ｃ１〜Ｃ１０アルキル又はＣ３〜Ｃ１０環状アルキルであり；及び
Ｒｂ及びＲｃは、各々独立して、水素又はＣ１〜Ｃ６アルキルである、
実施態様２１に記載のホログラフィックセンサ。
【実施態様２３】
前記二量化可能な化学基が前記ポリマーマトリックスと共有結合し、前記ポリマーマトリックスが、前記二量化可能な化学基を含む第１の化合物と、２−ヒドロキシエチルメタクリレート（ＨＥＭＡ）、２−ヒドロキシプロピルメタクリレート（ＨＰＭＡ）、Ｎ，Ｎ−ジメチルアクリルアミド（ＤＭＡＡ）、ポリ（エチレングリコール）モノメタクリレート（ＰＥＧＭＡ）、酢酸ビニル、アクリルアミド、Ｎ−イソプロピルアクリルアミド、アクリル酸（ＡＡ）、メタクリル酸（ＭＡＡ）、Ｎ，Ｎ−メチレンビスアクリルアミド（ＢＩＳ）、エチレングリコールジメタクリレート（ＥＤＭＡ）、２−アクリルアミド−２−メチルプロパンスルホン酸（ＡＭＰＳ）、メタクリル酸のナトリウム塩、２−（ジメチルアミノエチル）メタクリレート（ＤＭＡＥＭＡ）、スチレン４−スルホン酸、及び２−（Ｎ，Ｎジメチル−Ｎ−（２−メタクリルオキシエチル）アンモニウム）エタン酸からなる群から選択される第２の化合物とのポリマーを含む、実施態様１に記載のホログラフィックセンサ。
【実施態様２４】
前記橋かけ環がシクロブチルである、実施態様２３に記載のホログラフィックセンサ。
【実施態様２５】
前記干渉縞が、シンナモイル、カルコン、アントラセン、クマリン、スチルバゾリウム、マレイミド、又はそれらの誘導体の二量体構造を含む、実施態様２４に記載のホログラフィックセンサ。
【実施態様２６】
前記回折フリンジが、式：
【化２５】
2011523452.tif 000010
で表される二量体構造を含み、
式中、
Ｒ１、Ｒ２、Ｒ’１、及びＲ’２は、各々独立して、Ｃ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ（各々、−ＯＨ、−ＮＲｂＲｃ、若しくはハロゲンで任意に置換されている）であるか、又はＲ１及びＲ２は、それらが結合する炭素原子と共に飽和若しくは不飽和の５員若しくは６員炭化水素環若しくは複素環を形成し、ここで、Ｃ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ及び炭化水素環又は複素環は、各々、−ＯＨ、−ＮＲｂＲｃ、又はハロゲンで任意に置換されており；
Ｒ’３は、直鎖状若しくは分枝鎖状Ｃ１〜Ｃ２０ジアルキル又はＣ３〜Ｃ１０環状ジアルキル［ここでＣ１〜Ｃ１０ジアルキル又はＣ３〜Ｃ１０環状ジアルキルは、窒素又は酸素に任意に置き換えられる１個以上（例えば、１、２、３、４、５、６、７、８、９、又は１０個）の炭素原子を有する］であるか、又はＲ’３は、−Ｃ（Ｏ）−、−Ｓｉ（Ｒａ）２−、若しくは−（ＰＥＧ）分子量≦１２０００−であり；
Ｒ４、Ｒ５及びＲ６は、各々独立して、水素であるか、又はＣ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ（各々、−ＯＨ、−ＮＲｂＲｃ、若しくはハロゲンで任意に置換されている）であり；
Ｒａは、水素又は直鎖状若しくは分枝鎖状Ｃ１〜Ｃ１０アルキル又はＣ３〜Ｃ１０環状アルキルであり；及び
Ｒｂ及びＲｃは、各々独立して、水素又はＣ１〜Ｃ６アルキルである、
実施態様２５に記載のホログラフィックセンサ。
【実施態様２７】
Ｒ１及びＲ２が、各々独立して、水素、ハロゲン、Ｃ１〜Ｃ６アルキル、又はＣ３〜Ｃ６シクロアルキル（各々、−ＯＨ、−ＮＲｂＲｃ、又はハロゲンで任意に置換されている）であり；
Ｒ’３が、直鎖状若しくは分枝鎖状Ｃ１〜Ｃ６ジアルキル又はＣ３〜Ｃ６環状ジアルキル又は平均分子量が１２０００以下のポリ（エチレングリコール）であり；
Ｒ４、Ｒ５及びＲ６が、各々独立して、水素又はＣ１〜Ｃ６アルキルである、
実施態様２６に記載のホログラフィックセンサ。
【実施態様２８】
Ｒ１及びＲ２が、各々独立して、Ｃ１〜Ｃ６アルキル（−ＯＨ、−ＮＲｂＲｃ、又はハロゲンで任意に置換されている）であり；及び
Ｒ’３が、直鎖状若しくは分枝鎖状Ｃ１〜Ｃ１０ジアルキル又は−（ＰＥＧ）分子量≦１２０００−である、
実施態様２７に記載のホログラフィックセンサ。
【実施態様２９】
前記回折フリンジが、式：
【化２６】
2011523452.tif 000011
で表される二量体を含む、実施態様２８に記載のホログラフィックセンサ。
【実施態様３０】
支持層をさらに含む、実施態様１に記載のホログラフィックセンサ。
【実施態様３１】
前記支持層が、トリアセチルセルロース（ＴＡＣ）フィルム又はポリエチレンテレフタレート（ＰＥＴ）フィルムである、実施態様３０に記載のホログラフィックセンサ。
【実施態様３２】
前記ポリマーマトリックスが、（ａ）前記回折フリンジの一部である二量体構造による架橋と；（ｂ）前記少なくとも１つのホログラフィ像を記録する際に形成されたものではない二量体構造による架橋と；及び（ｃ）前記（ｂ）の二量体構造以外の構造によるランダムな架橋とを含む、実施態様１に記載のホログラフィックセンサ。
【実施態様３３】
前記ポリマーマトリックスが膨潤していないとき、前記ホログラフィックセンサが可視スペクトル範囲の乾式像を示し、前記乾式像が、前記少なくとも１つの記録されたホログラフィ像に対応する、実施態様１〜３２のいずれか一項に記載のホログラフィックセンサ。
【実施態様３４】
前記ポリマーマトリックスが前記外部刺激に応答して膨潤すると、前記ホログラフィックセンサの乾式像の再生波長が変化する、実施態様３３に記載のホログラフィックセンサ。
【実施態様３５】
前記ポリマーマトリックスと共有結合した第１の二量化可能な化学基と、式Ｄ−ＦＧの付加物（式中、Ｄは第２の二量化可能な化学基であり、ＦＧは官能性付与基である）との光環化付加による二量化によって形成された橋かけ環を含む複数の官能性二量体構造をさらに含む、実施態様１に記載のホログラフィックセンサ。
【実施態様３６】
前記第１の二量化可能な化学基と前記第２の二量化可能な化学基とが同じである、実施態様３５に記載のホログラフィックセンサ。
【実施態様３７】
前記二量体構造が、前記少なくとも１つのホログラフィ像が記録されるときに二量化可能な化学基から形成され、前記二量化可能な化学基と、前記第１の二量化可能な化学基と、前記第２の二量化可能な化学基とが同じである、実施態様３６に記載のホログラフィックセンサ。
【実施態様３８】
前記官能性二量体構造が前記ポリマーマトリックス全体に分布している、実施態様３５に記載のホログラフィックセンサ。
【実施態様３９】
前記官能性二量体構造が前記ポリマーマトリックス全体にランダムに分布している、実施態様３８に記載のホログラフィックセンサ。
【実施態様４０】
ＦＧが、リガンド、抗体、酵素、タンパク質、キレート剤、受容体、刺激応答性オリゴマー又は刺激応答性ポリマーである、実施態様３５に記載のホログラフィックセンサ。
【実施態様４１】
ＦＧがフェニルボロン酸類である、実施態様４０に記載のホログラフィックセンサ。
【実施態様４２】
前記官能性二量体構造が、構造式（ＶＩＩＩ）：
【化２７】
2011523452.tif 000012
で表され、
式中、
Ｒ１及びＲ２は、各々独立して、Ｃ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ（各々、−ＯＨ、−ＮＲｂＲｃ、若しくはハロゲンで任意に置換されている）であるか、又はＲ１及びＲ２は、それらが結合する炭素原子と共に飽和若しくは不飽和の５員若しくは６員炭化水素環若しくは複素環を形成し、ここで、Ｃ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ及び炭化水素環又は複素環は、各々、−ＯＨ、−ＮＲｂＲｃ、又はハロゲンで任意に置換されており；
Ｒ’３は、直鎖状若しくは分枝鎖状Ｃ１〜Ｃ２０ジアルキル又はＣ３〜Ｃ１０環状ジアルキル（ここでＣ１〜Ｃ１０ジアルキル又はＣ３〜Ｃ１０環状ジアルキルは、窒素又は酸素に任意に置き換えられる１個以上（例えば、１、２、３、４、５、６、７、８、９、又は１０個）の炭素原子を有する）であるか、又はＲ’３は、−Ｃ（Ｏ）−、−Ｓｉ（Ｒａ）２−、若しくは−（ＰＥＧ）分子量≦１２０００−であり；
Ｒ４、Ｒ５及びＲ６は、各々独立して、水素であるか、又はＣ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ（各々、−ＯＨ、−ＮＲｂＲｃ、若しくはハロゲンで任意に置換されている）であり；
Ｒａは、水素又は直鎖状若しくは分枝鎖状Ｃ１〜Ｃ１０アルキル又はＣ３〜Ｃ１０環状アルキルであり；及び
Ｒｂ及びＲｃは、各々独立して、水素又はＣ１〜Ｃ６アルキルである、
実施態様４０に記載のホログラフィックセンサ。
【実施態様４３】
前記官能性二量体構造は、構造式（ＶＩＩｂ）：
【化２８】
2011523452.tif 000013
で表され、
式中、
Ｒ１、Ｒ２、Ｒ’１、及びＲ’２は、各々独立して、Ｃ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ（各々、−ＯＨ、−ＮＲｂＲｃ、若しくはハロゲンで任意に置換されている）であるか、又はＲ１及びＲ２は、それらが結合する炭素原子と共に飽和若しくは不飽和の５員若しくは６員炭化水素環若しくは複素環を形成し、ここで、Ｃ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ及び炭化水素環又は複素環は、各々、−ＯＨ、−ＮＲｂＲｃ、又はハロゲンで任意に置換されており；
Ｒ’３は、直鎖状若しくは分枝鎖状Ｃ１〜Ｃ２０ジアルキル又はＣ３〜Ｃ１０環式ジアルキル（ここでＣ１〜Ｃ１０ジアルキル又はＣ３〜Ｃ１０環状ジアルキルは、窒素又は酸素に任意に置き換えられる１個以上（例えば、１、２、３、４、５、６、７、８、９、又は１０個）の炭素原子を有する）であるか、又はＲ’３は、−Ｃ（Ｏ）−、−Ｓｉ（Ｒａ）２−、若しくは−（ＰＥＧ）分子量≦１２０００−であり；
Ｒ４、Ｒ５及びＲ６は、各々独立して、水素であるか、又はＣ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ（各々、−ＯＨ、−ＮＲｂＲｃ、若しくはハロゲンで任意に置換されている）であり；
Ｒａは、水素又は直鎖状若しくは分枝鎖状Ｃ１〜Ｃ１０アルキル又はＣ３〜Ｃ１０環式アルキルであり；及び
Ｒｂ及びＲｃは、各々独立して、水素又はＣ１〜Ｃ６アルキルである、
実施態様４２に記載のホログラフィックセンサ。
【実施態様４４】
Ｒ１及びＲ２が、各々独立して、水素、ハロゲン、Ｃ１〜Ｃ６アルキル、又はＣ３〜Ｃ６シクロアルキル（各々、−ＯＨ、−ＮＲｂＲｃ、又はハロゲンで任意に置換されている）であり；
Ｒ’３が、直鎖状若しくは分枝鎖状Ｃ１〜Ｃ６ジアルキル又はＣ３〜Ｃ６環式ジアルキル又は平均分子量が１２０００以下のポリ（エチレングリコール）であり；及び
Ｒ４、Ｒ５及びＲ６が、各々独立して、水素又はＣ１〜Ｃ６アルキルである、
実施態様４２又は４３に記載のホログラフィックセンサ。
【実施態様４５】
Ｒ１及びＲ２が、各々独立して、Ｃ１〜Ｃ６アルキル（−ＯＨ、−ＮＲｂＲｃ、又はハロゲンで任意に置換されている）であり；及び
Ｒ’３が、直鎖状若しくは分枝鎖状Ｃ１〜Ｃ１０ジアルキル又は−（ＰＥＧ）分子量≦１２０００−である、
実施態様４２又は４３に記載のホログラフィックセンサ。
【実施態様４６】
前記官能性二量体構造が、構造式（ＶＩＩｃ）：
【化２９】
2011523452.tif 000014
で表される、実施態様４５に記載のホログラフィックセンサ。
【実施態様４７】
ＦＧが、リガンド、抗体、酵素、タンパク質、キレート剤、受容体、刺激応答性オリゴマー又は刺激応答性ポリマーである、実施態様４６に記載のホログラフィックセンサ。
【実施態様４８】
ＦＧが、フェニルボロン酸類又はビスボロン酸類である、実施態様４６に記載のホログラフィックセンサ。
【実施態様４９】
ＦＧが、構造式（ＩＸａ）又は（ＩＸｂ）：
【化３０】
2011523452.tif 000015
【化３１】
2011523452.tif 000016
で表され、
式中、ｎは、０、１又は２であり、各Ｒは、独立して、水素、ハロゲン、Ｃ１〜Ｃ６アルキル、ＮＯ２、シアノ、ＣＯＯアルキル、ＣＯアルキル又はＣＦ３である、実施態様３５〜４８のいずれか一項に記載のホログラフィックセンサ。
【実施態様５０】
ＦＧが、構造式：
【化３２】
2011523452.tif 000017
で表される、実施態様４９に記載のホログラフィックセンサ。
【実施態様５１】
前記官能性二量体構造が、構造式（Ｘ）：
【化３３】
2011523452.tif 000018
で表される下部構造を含む、実施態様３５〜３９のいずれか一項に記載のホログラフィックセンサ。
【実施態様５２】
前記ホログラフィック記録媒体が、前記ポリマーマトリックスと共有結合した複数の受容体基をさらに含む、実施態様１〜５１のいずれか一項に記載のホログラフィックセンサ。
【実施態様５３】
前記ポリマーマトリックスが、前記受容体基を含む単量体と、二量化可能な化学基を含む単量体と、２−ヒドロキシエチルメタクリレート（ＨＥＭＡ）、２−ヒドロキシプロピルメタクリレート（ＨＰＭＡ）、Ｎ，Ｎ−ジメチルアクリルアミド（ＤＭＡＡ）、ポリ（エチレングリコール）モノメタクリレート（ＰＥＧＭＡ）、酢酸ビニル、アクリルアミド、Ｎ−イソプロピルアクリルアミド、アクリル酸（ＡＡ）、メタクリル酸（ＭＡＡ）、Ｎ，Ｎ−メチレンビスアクリルアミド（ＢＩＳ）、エチレングリコールジメタクリレート（ＥＤＭＡ）、２−アクリルアミド−２−メチルプロパンスルホン酸（ＡＭＰＳ）、メタクリル酸のナトリウム塩、２−（ジメチルアミノエチル）メタクリレート（ＤＭＡＥＭＡ）、スチレン４−スルホン酸、及び２−（Ｎ，Ｎジメチル−Ｎ−（２−メタクリルオキシエチル）アンモニウム）エタン酸からなる群から選択される１つ又は複数の化合物との共重合により調製されたポリマーを含む、実施態様５２に記載のホログラフィックセンサ。
【実施態様５４】
前記受容体基が３−アクリルアミドフェニルボロン酸である、実施態様５３に記載のホログラフィックセンサ。
【実施態様５５】
（ａ）ポリマーマトリックスと、
（ｂ）複数の二量化可能な化学基とを含むホログラフィック記録媒体であって、
前記二量化可能な化学基は、
（ｉ）光環化付加による橋かけ環の形成により二量化し；且つ
（ｉｉ）前記ポリマーマトリックス全体にわたり分散し、
その分散密度は、
（１）前記二量化可能な化学基の一部を二量化することによるホログラムの記録と、
（２）外部刺激の存在に対して前記ポリマーマトリックスが応答したときの前記ホログラムの光学特性の変化が検出されるのを可能とするのに十分な密度である、
ホログラフィック記録媒体。
【実施態様５６】
前記ポリマーマトリックスが架橋される、実施態様５５に記載のホログラフィック記録媒体。
【実施態様５７】
前記ホログラフィック記録媒体の物理的又は化学的特性が、外部刺激に応答して変化する、実施態様５５に記載のホログラフィック記録媒体。
【実施態様５８】
前記外部刺激として流体による刺激を含み、前記ポリマーマトリックスが、前記流体と接触させたとき、膨潤することにより応答する、実施態様５５に記載のホログラフィック記録媒体。
【実施態様５９】
前記外部刺激が分析物をさらに含み、前記ポリマーマトリックスの膨潤度が、前記流体中に存在する前記分析物の量と相関する、実施態様５８に記載のホログラフィック記録媒体。
【実施態様６０】
前記光学特性の変化が、前記ホログラムの再生波長の変化である、実施態様５５に記載のホログラフィック記録媒体。
【実施態様６１】
前記二量化可能な基が、ペンダント基として前記ポリマーマトリックスと共有結合する、実施態様５５に記載のホログラフィック記録媒体。
【実施態様６２】
前記外部刺激がプロトン性物質を含む流体によるものであり、且つ前記ポリマーマトリックスが親水性であるか、又は
前記外部刺激が、非プロトン性若しくは無極性物質を含む流体によるものであり、且つ前記ポリマーマトリックスが疎水性である、実施態様６１に記載のホログラフィック記録媒体。
【実施態様６３】
前記ポリマーマトリックスが、親水性単量体、両親媒性単量体、温度応答性単量体、ｐＨ応答性単量体及び疎水性単量体からなる群から選択される１種類又は複数種類の単量体のポリマー又はコポリマーを含む、実施態様６２に記載のホログラフィック記録媒体。
【実施態様６４】
前記ポリマーマトリックスがランダムに架橋される、実施態様６１に記載のホログラフィック記録媒体。
【実施態様６５】
前記外部刺激が、湿度、水、気体、蒸気、有機又は無機溶剤、化学物質、金属イオン、化学物質の溶液又は分散液、圧力、温度、ｐＨ、電磁波、磁界、電界、電離放射線、プロトン性物質、非プロトン性物質、流体、及び分析物を含む流体のうちの１つ又は複数である、実施態様６１に記載のホログラフィック記録媒体。
【実施態様６６】
前記橋かけ環がシクロブチルである、実施態様５５〜６５のいずれか一項に記載のホログラフィック記録媒体。
【実施態様６７】
前記ポリマーマトリックスが、ゼラチンを含むか、又は前記ポリマーマトリックスが、２−ヒドロキシエチルメタクリレート（ＨＥＭＡ）、２−ヒドロキシプロピルメタクリレート（ＨＰＭＡ）、Ｎ，Ｎ−ジメチルアクリルアミド（ＤＭＡＡ）、ポリ（エチレングリコール）モノメタクリレート（ＰＥＧＭＡ）、酢酸ビニル、アクリルアミド、Ｎ−イソプロピルアクリルアミド、アクリル酸（ＡＡ）、メタクリル酸（ＭＡＡ）、Ｎ，Ｎ−メチレンビスアクリルアミド（ＢＩＳ）、エチレングリコールジメタクリレート（ＥＤＭＡ）、２−アクリルアミド−２−メチルプロパンスルホン酸（ＡＭＰＳ）、メタクリル酸のナトリウム塩、２−（ジメチルアミノエチル）メタクリレート（ＤＭＡＥＭＡ）、スチレン４−スルホン酸、及び２−（Ｎ，Ｎジメチル−Ｎ−（２−メタクリルオキシエチル）アンモニウム）エタン酸のうちの１種類または複数の種類の単量体から形成されるポリマーを含む、実施態様６６に記載のホログラフィック記録媒体。
【実施態様６８】
前記二量化可能な化学基を供与する化合物が、シンナモイル、カルコン、アントラセン、クマリン、スチルバゾリウム、マレイミド、及びそれらの誘導体からなる群から選択される、実施態様６７に記載のホログラフィック記録媒体。
【実施態様６９】
前記二量化可能な化学基が、以下の構造式：
【化３４】
2011523452.tif 000019
で表される化合物によって提供され
式中、
Ｒ１及びＲ２は、各々独立して、Ｃ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ（各々、−ＯＨ、−ＮＲｂＲｃ、若しくはハロゲンで任意に置換されている）であるか、又はＲ１及びＲ２は、それらが結合する炭素原子と共に飽和若しくは不飽和の５員若しくは６員炭化水素環若しくは複素環を形成し、ここで、Ｃ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ及び炭化水素環又は複素環は、各々、−ＯＨ、−ＮＲｂＲｃ、又はハロゲンで任意に置換されており；
Ｒ３は、窒素又は酸素に任意に置き換えられるか、及び／又は、−ＣＯＯＨ、−ＣＯＸ、−ＯＨ、−ＮＲｂＲｃ、アクリレート、メタクリレート、アクリルアミド、−ＳＲａ、−Ｓｉ（Ｒａ）２Ｘ、又はＳｉ（Ｒａ）３で任意に置換されている１個以上の炭素原子を有する直鎖状若しくは分枝鎖状Ｃ１〜Ｃ２０アルキル又はＣ３〜Ｃ１０環式アルキルであり；又はＲ３は、平均分子量が１２０００以下のポリ（エチレングリコール）（ＰＥＧ）（ここでヒドロキシル基は、アミン、−ＣＯＯＨ、−ＣＯＸ、アクリレート、メタクリレート、アクリルアミド、−ＳＲａ、−Ｓｉ（Ｒａ）２Ｘ若しくは−Ｓｉ（Ｒａ）３に任意に置き換えられる）であり；又はＲ３は、−（ＰＥＧ）分子量≦１２０００Ｃ（Ｏ）Ｏ−ＮＨＳ、若しくは−（ＰＥＧ）分子量≦１２０００Ｃ（Ｏ）Ｏ−スルホ−ＮＲＳであり；
Ｘは、ハロゲンであり；
Ｒａは、水素又は直鎖状若しくは分枝鎖状Ｃ１〜Ｃ１０アルキル、アルコキシ又はＣ３〜Ｃ１０環式アルキルであり；及び
Ｒｂ及びＲｃは、各々独立して、水素又はＣ１〜Ｃ６アルキルである、
実施態様６６に記載のホログラフィック記録媒体。
【実施態様７０】
前記二量化可能な化学基が、構造式（ＩＩ）：
【化３５】
2011523452.tif 000020
で表される構造によって提供され
式中、
Ｒ’３は、直鎖状若しくは分枝鎖状Ｃ１〜Ｃ２０ジアルキル又はＣ３〜Ｃ１０環式ジアルキル（ここでＣ１〜Ｃ１０ジアルキル又はＣ３〜Ｃ１０環式ジアルキルは、窒素又は酸素に任意に置き換えられる１個以上の炭素原子を有する）であるか、又はＲ’３は、−Ｃ（Ｏ）−、−Ｓｉ（Ｒａ）２−、若しくは−（ＰＥＧ）分子量≦１２０００−であり；及び
Ｒ４及びＲ５は、各々独立して、水素であるか、又はＣ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ（各々、−ＯＨ、−ＮＲｂＲｃ、若しくはハロゲンで任意に置換されている）である、
実施態様６６に記載のホログラフィック記録媒体。
【実施態様７１】
前記ポリマーマトリックスが、（ヒドロキシエチル）メタクリレート（ＨＥＭＡ）と、エチレングリコールジメタクリレート（ＥＤＭＡ）と、メタクリル酸（ＭＡＡ）とのポリマーを含む、実施態様７０に記載のホログラフィック記録媒体。
【実施態様７２】
Ｒ１及びＲ２が、各々独立して、Ｃ１〜Ｃ１０アルキル、又はＣ３〜Ｃ６シクロアルキル（各々、−ＯＨ、−ＮＲｂＲｃ、又はハロゲンで任意に置換されている）であり；
Ｒ３が、直鎖状若しくは分枝鎖状Ｃ１〜Ｃ１０ジアルキル、Ｃ３〜Ｃ６環式ジアルキル又は平均分子量が１２０００以下のポリ（エチレングリコール）であり；
Ｒ４及びＲ５が、各々独立して、水素又はＣ１〜Ｃ６アルキルである、
実施態様７１に記載のホログラフィック記録媒体。
【実施態様７３】
Ｒ１及びＲ２が、各々独立して、Ｃ１〜Ｃ６アルキル（−ＯＨ、−ＮＲｂＲｃ、又はハロゲンで任意に置換されている）であり；及び
Ｒ３が、直鎖状若しくは分枝鎖状Ｃ１〜Ｃ１０ジアルキル、又は平均分子量が１２０００以下のポリ（エチレングリコール）である、
実施態様７２に記載のホログラフィック記録媒体。
【実施態様７４】
前記二量化可能な化学基が、以下の式：
【化３６】
2011523452.tif 000021
で表される化合物によって提供される、実施態様７３に記載のホログラフィック記録媒体。
【実施態様７５】
前記二量化可能な化学基が前記ポリマーマトリックスと共有結合し、前記ポリマーマトリックスが、前記二量化可能な化学基を含む第１の化合物と、２−ヒドロキシエチルメタクリレート（ＨＥＭＡ）、２−ヒドロキシプロピルメタクリレート（ＨＰＭＡ）、Ｎ，Ｎ−ジメチルアクリルアミド（ＤＭＡＡ）、ポリ（エチレングリコール）モノメタクリレート（ＰＥＧＭＡ）、酢酸ビニル、アクリルアミド、Ｎ−イソプロピルアクリルアミド、アクリル酸（ＡＡ）、メタクリル酸（ＭＡＡ）、Ｎ，Ｎ−メチレンビスアクリルアミド（ＢＩＳ）、エチレングリコールジメタクリレート（ＥＤＭＡ）、２−アクリルアミド−２−メチルプロパンスルホン酸（ＡＭＰＳ）、メタクリル酸のナトリウム塩、２−（ジメチルアミノエチル）メタクリレート（ＤＭＡＥＭＡ）、スチレン４−スルホン酸、及び２−（Ｎ，Ｎジメチル−Ｎ−（２−メタクリルオキシエチル）アンモニウム）エタン酸からなる群から選択される第２の化合物とのポリマーを含む、実施態様６６に記載のホログラフィック記録媒体。
【実施態様７６】
前記二量化可能な化学基を供与する化合物が、シンナモイル、カルコン、アントラセン、クマリン、スチルバゾリウム、マレイミド、及びそれらの誘導体からなる群から選択される、実施態様７５に記載のホログラフィック記録媒体。
【実施態様７７】
前記二量化可能な化学基が、以下の構造式：
【化３７】
2011523452.tif 000022
で表され、
式中、
Ｒ１及びＲ２は、各々独立して、Ｃ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ（各々、−ＯＨ、−ＮＲｂＲｃ、若しくはハロゲンで任意に置換されている）であるか、又はＲ１及びＲ２は、それらが結合する炭素原子と共に飽和若しくは不飽和の５員若しくは６員炭化水素環若しくは複素環を形成し、ここで、Ｃ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ及び炭化水素環又は複素環は、各々、−ＯＨ、−ＮＲｂＲｃ、又はハロゲンで任意に置換されており；
Ｒ３は、窒素又は酸素に任意に置き換えられるか、及び／又は、−ＣＯＯＨ、−ＣＯＸ、−ＯＨ、−ＮＲｂＲｃ、アクリレート、メタクリレート、アクリルアミド、−ＳＲａ、−Ｓｉ（Ｒａ）２Ｘ、又はＳｉ（Ｒａ）３で任意に置換されている１個以上の炭素原子を有する直鎖状若しくは分枝鎖状Ｃ１〜Ｃ２０アルキル又はＣ３〜Ｃ１０環式アルキルであり；又はＲ３は、平均分子量が１２０００以下のポリ（エチレングリコール）（ＰＥＧ）（ここでヒドロキシル基は、アミン、−ＣＯＯＨ、−ＣＯＸ、アクリレート、メタクリレート、アクリルアミド、−ＳＲａ、−Ｓｉ（Ｒａ）２Ｘ若しくは−Ｓｉ（Ｒａ）３に任意に置き換えられる）であり；又はＲ３は、−（ＰＥＧ）分子量≦１２０００Ｃ（Ｏ）Ｏ−ＮＨＳ、若しくは−（ＰＥＧ）分子量≦１２０００Ｃ（Ｏ）Ｏ−スルホ−ＮＨＳであり；
Ｘは、ハロゲンであり；
Ｒａは、水素又は直鎖状若しくは分枝鎖状Ｃ１〜Ｃ１０アルキル、アルコキシ又はＣ３〜Ｃ１０環式アルキルであり；及び
Ｒｂ及びＲｃは、各々独立して、水素又はＣ１〜Ｃ６アルキルである、
実施態様７６に記載のホログラフィック記録媒体。
【実施態様７８】
前記第１の化合物が、構造式（ＩＩ）：
【化３８】
2011523452.tif 000023
で表され、
式中、
Ｒ’３は、直鎖状若しくは分枝鎖状Ｃ１〜Ｃ２０ジアルキル又はＣ３〜Ｃ１０環式ジアルキル（ここでＣ１〜Ｃ１０ジアルキル又はＣ３〜Ｃ１０環式ジアルキルは、窒素又は酸素に任意に置き換えられる１個以上の炭素原子を有する）であるか、又はＲ’３は、−Ｃ（Ｏ）−、−Ｓｉ（Ｒａ）２−、若しくは−（ＰＥＧ）分子量≦１２０００−であり；及び
Ｒ４及びＲ５は、各々独立して、水素であるか、又はＣ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ（各々、−ＯＨ、−ＮＲｂＲｃ、若しくはハロゲンで任意に置換されている）である、
実施態様７５に記載のホログラフィック記録媒体。
【実施態様７９】
前記第２の化合物が、（ヒドロキシエチル）メタクリレート（ＨＥＭＡ）、エチレングリコールジメタクリレート（ＥＤＭＡ）及びメタクリル酸（ＭＡＡ）である、実施態様７８に記載のホログラフィック記録媒体。
【実施態様８０】
Ｒ１及びＲ２が、各々独立して、Ｃ１〜Ｃ１０アルキル、又はＣ３〜Ｃ６シクロアルキル（各々、−ＯＨ、−ＮＲｂＲｃ、又はハロゲンで任意に置換されている）であり；
Ｒ３が、直鎖状若しくは分枝鎖状Ｃ１〜Ｃ１０ジアルキル、Ｃ３〜Ｃ６環式ジアルキル又は平均分子量が１２０００以下のポリ（エチレングリコール）であり；
Ｒ４及びＲ５が、各々独立して、水素又はＣ１〜Ｃ６アルキルである、
実施態様７９に記載のホログラフィック記録媒体。
【実施態様８１】
Ｒ１及びＲ２が、各々独立して、Ｃ１〜Ｃ６アルキル（−ＯＨ、−ＮＲｂＲｃ、又はハロゲンで任意に置換されている）であり；及び
Ｒ３が、直鎖状若しくは分枝鎖状Ｃ１〜Ｃ１０ジアルキル、又は平均分子量が１２０００以下のポリ（エチレングリコール）である、
実施態様８０に記載のホログラフィック記録媒体。
【実施態様８２】
前記二量化可能な化学基が、以下の式：
【化３９】
2011523452.tif 000024
で表される化合物によって提供される、実施態様８１に記載のホログラフィック記録媒体。
【実施態様８３】
前記ポリマーマトリックスが、以下の構造式（ＩＩａ）：
【化４０】
2011523452.tif 000025
で表される構造を含み、
式中、
Ｒ’３は、直鎖状若しくは分枝鎖状Ｃ１〜Ｃ２０ジアルキル又はＣ３〜Ｃ１０環式ジアルキル（ここでＣ１〜Ｃ１０ジアルキル又はＣ３〜Ｃ１０環式ジアルキルは、窒素又は酸素に任意に置き換えられる１個以上の炭素原子を有する）であるか、又はＲ’３は、−Ｃ（Ｏ）−、−Ｓｉ（Ｒａ）２−、若しくは−（ＰＥＧ）分子量≦１２０００−であり；及び
Ｒ４及びＲ５は、各々独立して、水素であるか、又はＣ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ（各々、−ＯＨ、−ＮＲｂＲｃ、若しくはハロゲンで任意に置換されている）である、
実施態様６６に記載のホログラフィック記録媒体。
【実施態様８４】
Ｒ１及びＲ２が、各々独立して、Ｃ１〜Ｃ１０アルキル、又はＣ３〜Ｃ６シクロアルキル（各々、−ＯＨ、−ＮＲｂＲｃ、若しくはハロゲンで任意に置換されている）であり；
Ｒ３が、直鎖状若しくは分枝鎖状Ｃ１〜Ｃ１０ジアルキル、Ｃ３〜Ｃ６環式ジアルキル又は平均分子量が１２０００以下のポリ（エチレングリコール）であり；
Ｒ４及びＲ５が、各々独立して、水素又はＣ１〜Ｃ６アルキルである、
実施態様８３に記載のホログラフィック記録媒体。
【実施態様８５】
Ｒ１及びＲ２が、各々独立して、Ｃ１〜Ｃ６アルキル（−ＯＨ、−ＮＲｂＲｃ、又はハロゲンで任意に置換されている）であり；及び
Ｒ３が、直鎖状若しくは分枝鎖状Ｃ１〜Ｃ１０ジアルキル、又は平均分子量が１２０００以下のポリ（エチレングリコール）である、
実施態様８４に記載のホログラフィック記録媒体。
【実施態様８６】
前記ポリマーマトリックスが、以下の構造式（ＩＩＩａ）：
【化４１】
2011523452.tif 000026
で表される構造を含む、実施態様８５に記載のホログラフィック記録媒体。
【実施態様８７】
外部刺激の存在を検出する方法であって、
前記外部刺激に応答して、二量体構造の互いに対する空間位置、及び二量体構造と二量化可能な化学基との空間位置が変化し、
それにより、観測可能なホログラフィ像が提示されるか又はホログラフィ像の観測可能な変化がもたらされ、
前記観測可能なホログラフィ像の提示又は変化によって、前記外部刺激の存在が示される、方法。
【実施態様８８】
光学スペクトル範囲において、前記観測可能なホログラフィ像が検出される工程をさらに含む、実施態様８７に記載の方法。
【実施態様８９】
前記二量体構造及び前記二量化可能な化学基が、記録されたホログラフィ像に対応する回折フリンジの一部として含まれる、実施態様８７に記載の方法。
【実施態様９０】
前記記録されたホログラフィ像と、前記観測可能なホログラフィ像とが異なる、実施態様８９に記載の方法。
【実施態様９１】
前記記録されたホログラフィ像と前記観測可能なホログラフィ像とは再生波長が異なる、実施態様９０に記載の方法。
【実施態様９２】
ホログラフィ像の記録方法であって：
（ｉ）光環化付加により、二量化可能な化学基が二量化して二量体構造を形成する割合を制御するとともに、
（ｉｉ）前記二量体構造の互いに対する空間位置、及び二量体構造と二量化されなかった二量化可能な化学基との空間位置の保持を制御する工程を含み、
この制御工程により、
前記ホログラフィ像を記録すること、及び
記録後に外部刺激が存在するとき、前記記録されたホログラフィ像が、制御下で観測可能な応答を行なうことを可能にする、方法。
【実施態様９３】
ホログラフィ像の記録方法であって、
前記ホログラフィ像を表す光子に応答し、二量化可能な化学基が光環化付加により二量化して、二量体構造を形成する工程と、
前記二量体構造の互いに対する空間位置、及び二量体構造と二量化されなかった二量化可能な化学基との空間位置を保持する工程と、
を含み、それにより、記録されたホログラフィ像が保持され、
前記二量化工程及び前記保持工程に伴って記録されたホログラフィ像は、記録後に外部刺激が存在するとき、制御下で観測可能に応答を行なう、方法。
【実施態様９４】
ホログラフィ像の記録方法であって、
（ａ）二量化可能な化学基同士及び二量体構造同士の空間位置を保持する工程と、
（ｂ）前記ホログラフィ像を表す光子に応答して、前記二量化可能な化学基を光環化付加により二量化し、二量体構造を形成するとともに、それにより記録されたホログラフィ像を保持する工程とを含み、
（ｃ）記録後に外部刺激が存在するとき、前記保持および二量化に伴って記録されたホログラフィ像を制御下で観測可能に応答させる、方法。
【実施態様９５】
外部刺激の存在を検出する方法であって、
（１）ホログラフィックセンサを提供する工程と、
（２）外部刺激の存在を検出する工程と、
を含み、
前記工程（１）において、前記センサは、
（ａ）ポリマーマトリックスを含むホログラフィック記録媒体と、
（ｂ）ホログラフィ像と、
を含むホログラフィックセンサであって、
前記ホログラフィ像は、前記ホログラフィック記録媒体に回折フリンジとして記録された少なくとも１つのホログラフィ像であって、
前記回折フリンジは、橋かけ環を含む二量体構造を含み、
ここで、前記ホログラフィック記録媒体は、少なくとも１つの出力信号を提供して外部刺激に応答し、
前記工程（２）において、前記少なくとも１つの出力信号の存在を検出して、それにより前記外部刺激の存在を検出する、
方法。
【実施態様９６】
前記外部刺激が分析物を含む流体であり、前記ホログラフィックセンサを提供する工程が、前記ホログラフィック記録媒体を膨潤させる工程を含む、実施態様９５に記載の方法。
【実施態様９７】
前記ホログラフィック記録媒体を膨潤させる工程が、前記流体中の分析物の濃度に依存する、実施態様９６に記載の方法。
【実施態様９８】
前記流体が液体である、実施態様９６又は９７に記載の方法。
【実施態様９９】
前記外部刺激が、湿度、水、気体、蒸気、有機又は無機溶剤、化学物質、金属イオン、化学物質の溶液又は分散液、圧力、温度、ｐＨ、電磁波、磁界、電界、電離放射線、プロトン性物質、非プロトン性物質、流体、及び分析物を含む流体のうちの１つ又は複数である、実施態様９５に記載の方法。
【実施態様１００】
前記出力信号が、前記ホログラフィック記録媒体に記録された少なくとも１つのホログラフィ像の再生波長の変動、前記ホログラフィック記録媒体に記録された付加的なホログラフィ像の出現、又は前記ホログラフィック記録媒体に記録された少なくとも１つのホログラフィ像の消失に従う、実施態様９９に記載の方法。
【実施態様１０１】
前記ホログラフィックセンサが、実施態様１〜５４のいずれか一項に記載のホログラフィックセンサである、実施態様９５に記載の方法。
【実施態様１０２】
ホログラフィックセンサの製造方法であって、
少なくとも１つのホログラフィ像を回折フリンジとしてホログラフィック記録媒体に記録する工程を含み、
前記ホログラフィック記録媒体は、
（ｉ）ポリマーマトリックスと、
（ｉｉ）光環化付加による橋かけ環の形成により二量化する複数の二量化可能な化学基と、を含み、
前記回折フリンジは、橋かけ環を含む複数の二量体構造を含み、前記ホログラフィック記録媒体は、少なくとも１つの出力信号を提供することにより外部刺激に応答する、方法。
【実施態様１０３】
ホログラフィック記録媒体を調製する工程をさらに含む、実施態様１０２に記載の方法。
【実施態様１０４】
前記ホログラフィック記録媒体を調製する工程が、
（ａ）前記二量化可能な化学基を含む単量体と、架橋性単量体と、光増感剤との混合物を準備する工程と、
（ｂ）前記混合物を基板上にコーティングする工程と、
（ｃ）前記混合物を熱硬化させて、二量化可能な化学基を含む架橋ポリマーマトリックスを形成することにより、前記基板上に記録層を形成する工程と、
を含む、実施態様１０３に記載の方法。
【実施態様１０５】
前記ホログラフィック記録媒体を調製する工程が、
（ａ）前記二量化可能な化学基を含むポリマーを準備する工程と、
（ｂ）前記混合物を基板上にコーティングする工程と、
（ｃ）前記混合物中の前記二量化可能な基の一部を一様に光架橋して、前記基板上に記録層を形成する工程とを含み、
前記工程（ｃ）によって、未反応の二量化可能な化学基と光開始剤とを含む架橋ポリマーマトリックスが形成される、
実施態様１０３に記載の方法。
【実施態様１０６】
前記少なくとも１つのホログラフィ像の記録後、前記ホログラフィック記録媒体が未反応の二量化可能な化学基を含み、前記方法が、さらに（ｃ）前記ポリマーマトリックスを膨潤させ、化学線を照射することにより、前記未反応の二量化可能な化学基の一部又は全部を光環化付加により二量化する工程を含む、実施態様１０２に記載の方法。
【実施態様１０７】
前記ホログラフィックセンサの前記ポリマーマトリックスが膨潤していないとき、前記ホログラフィックセンサが光学スペクトル範囲の乾式像を示し、ここで前記乾式像が、前記少なくとも１つの記録されたホログラフィ像に対応する、実施態様１０６に記載の方法。
【実施態様１０８】
工程（ｃ）における化学線の照射前に、前記ポリマーマトリックスを部分的に膨潤した状態にする、実施態様１０６に記載の方法。
【実施態様１０９】
前記化学線が紫外線である、実施態様１０６に記載の方法。
【実施態様１１０】
前記ホログラフィ像を記録する際、前記二量体構造が、前記二量化可能な化学基から形成される、実施態様１０２に記載の方法。
【実施態様１１１】
前記ホログラフィック記録媒体を調製する工程が、前記二量化可能な化学基を含む第１の化合物と、
２−ヒドロキシエチルメタクリレート（ＨＥＭＡ）、２−ヒドロキシプロピルメタクリレート（ＨＰＭＡ）、Ｎ，Ｎ−ジメチルアクリルアミド（ＤＭＡＡ）、ポリ（エチレングリコール）モノメタクリレート（ＰＥＧＭＡ）、酢酸ビニル、アクリルアミド、Ｎ−イソプロピルアクリルアミド、アクリル酸（ＡＡ）、メタクリル酸（ＭＡＡ）、Ｎ，Ｎ−メチレンビスアクリルアミド（ＢＩＳ）、エチレングリコールジメタクリレート（ＥＤＭＡ）、２−アクリルアミド−２−メチルプロパンスルホン酸（ＡＭＰＳ）、メタクリル酸のナトリウム塩、２−（ジメチルアミノエチル）メタクリレート（ＤＭＡＥＭＡ）、スチレン４−スルホン酸、及び２−（Ｎ，Ｎジメチル−Ｎ−（２−メタクリルオキシエチル）アンモニウム）エタン酸からなる群から選択される第２の化合物と、
を重合に好適な条件下で重合してポリマーマトリックスを調製する工程を含む、実施態様１０２に記載の方法。
【実施態様１１２】
工程（ａ）で提供される前記ホログラフィック記録媒体が、光増感剤をさらに含む、実施態様１０２に記載の方法。
【実施態様１１３】
前記少なくとも１つのホログラフィ像の記録後、前記ホログラフィック記録媒体が、未反応の二量化可能な化学基を含み、前記方法が、さらに（ｄ）前記未反応の二量化可能な化学基を式Ｄ−ＦＧの付加物（式中、Ｄは第２の二量化可能な化学基であり、ＦＧは官能性付与基である）と二量化する工程を含む、実施態様１０２に記載の方法。
【実施態様１１４】
前記ホログラフィック記録媒体を調製する工程が、（ｄ）二量化可能な化学基を式Ｄ−ＦＧの付加物（式中、Ｄは第２の二量化可能な化学基であり、ＦＧは官能性付与基である）と二量化する工程を含む、実施態様１０２に記載の方法。
【実施態様１１５】
（ｄ）前記ポリマーマトリックス全体にわたり二量化可能な化学基を式Ｄ−ＦＧの付加物（式中、Ｄは第２の二量化可能な化学基であり、ＦＧは官能性付与基である）と二量化する工程をさらに含む、実施態様１０２に記載の方法。
【実施態様１１６】
前記少なくとも１つのホログラフィ像を記録するのに十分な量の二量化可能な化学基が、前記付加物と二量化されない、実施態様１１４又は１１５に記載の方法。
【実施態様１１７】
前記ホログラフィック記録媒体を提供する工程が、受容体基を含む単量体と、
前記二量化可能な化学基を含む単量体と、
２−ヒドロキシエチルメタクリレート（ＨＥＭＡ）、２−ヒドロキシプロピルメタクリレート（ＨＰＭＡ）、Ｎ，Ｎ−ジメチルアクリルアミド（ＤＭＡＡ）、ポリ（エチレングリコール）モノメタクリレート（ＰＥＧＭＡ）、酢酸ビニル、アクリルアミド、Ｎ−イソプロピルアクリルアミド、アクリル酸（ＡＡ）、メタクリル酸（ＭＡＡ）、Ｎ，Ｎ−メチレンビスアクリルアミド（ＢＩＳ）、エチレングリコールジメタクリレート（ＥＤＭＡ）、２−アクリルアミド−２−メチルプロパンスルホン酸（ＡＭＰＳ）、メタクリル酸のナトリウム塩、２−（ジメチルアミノエチル）メタクリレート（ＤＭＡＥＭＡ）、スチレン４−スルホン酸、及び２−（Ｎ，Ｎジメチル−Ｎ−（２−メタクリルオキシエチル）アンモニウム）エタン酸からなる群から選択される１つ又は複数の化合物とを
共重合に好適な条件下で、共重合する工程を含む、実施態様１０２に記載の方法。
【実施態様１１８】
前記受容体基が３−アクリルアミドフェニルボロン酸である、実施態様１１７に記載の方法。
【実施態様１１９】
前記少なくとも１つのホログラフィ像を記録する工程（ｂ）が、前記ホログラフィック記録媒体を、レーザー光に露光し、それにより干渉縞を生成する工程と、それと同時に前記ホログラフィック記録媒体を紫外線に露光する工程とを含む、実施態様１０２に記載の方法。
【実施態様１２０】
工程（ｂ）で記録される前記ホログラフィ像が、２３５ｎｍ〜６５０ｎｍの波長で記録される、実施態様１０２〜１１９のいずれか一項に記載の方法。
【実施態様１２１】
実施態様１０２〜１２０のいずれか一項に記載の方法により調製されたホログラフィックセンサ。
【実施態様１２２】
ポリマーマトリックスと、
光環化付加による橋かけ環の形成により二量化する化学基と、
を含むホログラフィック記録媒体であって、
前記ホログラフィック記録媒体の物理的又は化学的特性が、外部刺激に応答して変化する、ホログラフィック記録媒体。
【実施態様１２３】
前記外部刺激が、湿度、水、気体、蒸気、有機又は無機溶剤、化学物質、金属イオン、化学物質の溶液又は分散液、圧力、温度、ｐＨ、電磁波、磁界、電界、電離放射線、プロトン性物質、非プロトン性物質、流体、及び分析物を含む流体のうちの１つ又は複数である、実施態様１２２に記載のホログラフィック記録媒体。
【実施態様１２４】
前記外部刺激に応答して変化する前記物理的又は化学的特性が、前記記録媒体の体積、前記記録媒体のサイズ、前記記録媒体の比質量、前記記録媒体の屈折率、及び前記二量化した化学基の屈折率のうちの少なくとも１つである、実施態様１２２に記載のホログラフィック記録媒体。
【実施態様１２５】
前記橋かけ環がシクロブチルである、実施態様１２２に記載のホログラフィック記録媒体。
【実施態様１２６】
前記化学基を供与する化合物が、シンナモイル、カルコン、アントラセン、クマリン、スチルバゾリウム、マレイミド、及びそれらの誘導体のうちの１つ又は複数である、実施態様１２２に記載のホログラフィック記録媒体。
【実施態様１２７】
前記ポリマーマトリックスがゼラチン又はポリマーであって、
前記ポリマーは、２−ヒドロキシエチルメタクリレート（ＨＥＭＡ）、２−ヒドロキシプロピルメタクリレート（ＨＰＭＡ）、Ｎ，Ｎ−ジメチルアクリルアミド（ＤＭＡＡ）、ポリ（エチレングリコール）モノメタクリレート（ＰＥＧＭＡ）、酢酸ビニル、アクリルアミド、Ｎ−イソプロピルアクリルアミド、アクリル酸（ＡＡ）、メタクリル酸（ＭＡＡ）、Ｎ，Ｎ−メチレンビスアクリルアミド（ＢＩＳ）、エチレングリコールジメタクリレート（ＥＤＭＡ）、２−アクリルアミド−２−メチルプロパンスルホン酸（ＡＭＰＳ）、メタクリル酸のナトリウム塩、２−（ジメチルアミノエチル）メタクリレート（ＤＭＡＥＭＡ）、スチレン４−スルホン酸、及び２−（Ｎ，Ｎジメチル−Ｎ−（２−メタクリルオキシエチル）アンモニウム）エタン酸のうちの１種類又は複数種類の単量体から形成されるポリマーである、実施態様１２２に記載のホログラフィック記録媒体。
【実施態様１２８】
前記化学基が、以下の構造式：
【化４２】
2011523452.tif 000027
で表される化合物によって提供され、
式中、
Ｒ１及びＲ２は、各々独立して、Ｃ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ（各々、−ＯＨ、−ＮＲｂＲｃ、若しくはハロゲンで任意に置換されている）であるか、又はＲ１及びＲ２は、それらが結合する炭素原子と共に飽和若しくは不飽和の５員若しくは６員炭化水素環若しくは複素環を形成し、ここで、Ｃ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ及び炭化水素環又は複素環は、各々、−ＯＨ、−ＮＲｂＲｃ、又はハロゲンで任意に置換されており；
Ｒ３は、窒素又は酸素に任意に置き換えられるか、及び／又は、−ＣＯＯＨ、−ＣＯＸ、−ＯＨ、−ＮＲｂＲｃ、アクリレート、メタクリレート、アクリルアミド、−ＳＲａ、−Ｓｉ（Ｒａ）２Ｘ、又はＳｉ（Ｒａ）３で任意に置換されている１個以上の炭素原子を有する直鎖状若しくは分枝鎖状Ｃ１〜Ｃ２０アルキル又はＣ３〜Ｃ１０環式アルキルであり；又はＲ３は、平均分子量が１２０００以下のポリ（エチレングリコール）（ＰＥＧ）（ここでヒドロキシル基は、アミン、−ＣＯＯＨ、−ＣＯＸ、アクリレート、メタクリレート、アクリルアミド、−ＳＲａ、−Ｓｉ（Ｒａ）２Ｘ若しくは−Ｓｉ（Ｒａ）３に任意に置き換えられる）であり；又はＲ３は、−（ＰＥＧ）分子量≦１２０００Ｃ（Ｏ）Ｏ−ＮＨＳ、若しくは−（ＰＥＧ）分子量≦１２０００Ｃ（Ｏ）Ｏ−スルホ−ＮＲＳであり；
Ｘは、ハロゲンであり；
Ｒａは、水素又は直鎖状若しくは分枝鎖状Ｃ１〜Ｃ１０アルキル、アルコキシ又はＣ３〜Ｃ１０環式アルキルであり；及び
Ｒｂ及びＲｃは、各々独立して、水素又はＣ１〜Ｃ６アルキルである、
実施態様１２２に記載のホログラフィック記録媒体。
【実施態様１２９】
前記化学基が、以下の構造式：
【化４３】
2011523452.tif 000028
で表される化合物によって提供され、
式中、
Ｒ’３は、直鎖状若しくは分枝鎖状Ｃ１〜Ｃ２０ジアルキル又はＣ３〜Ｃ１０環式ジアルキル（ここでＣ１〜Ｃ１０ジアルキル又はＣ３〜Ｃ１０環式ジアルキルは、窒素又は酸素に任意に置き換えられる１個以上の炭素原子を有する）であるか、又はＲ’３は、−Ｃ（Ｏ）−、−Ｓｉ（Ｒａ）２−、若しくは−（ＰＥＧ）分子量≦１２０００−であり；及び
Ｒ４及びＲ５は、各々独立して、水素であるか、又はＣ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ（各々、−ＯＨ、−ＮＲｂＲｃ、若しくはハロゲンで任意に置換されている）である、
実施態様１２２に記載のホログラフィック記録媒体。
【実施態様１３０】
前記ポリマーマトリックスが、（ヒドロキシエチル）メタクリレート（ＨＥＭＡ）、エチレングリコールジメタクリレート（ＥＤＭＡ）、又はメタクリル酸（ＭＡＡ）のポリマーを含む、実施態様１２９に記載のホログラフィック記録媒体。
【実施態様１３１】
Ｒ１及びＲ２が、各々独立して、Ｃ１〜Ｃ１０アルキル、又はＣ３〜Ｃ６シクロアルキル（各々、−ＯＨ、−ＮＲｂＲｃ、又はハロゲンで任意に置換されている）であり；
Ｒ３が、直鎖状若しくは分枝鎖状Ｃ１〜Ｃ１０ジアルキル、Ｃ３〜Ｃ６環式ジアルキル又は平均分子量が１２０００以下のポリ（エチレングリコール）であり；
Ｒ４及びＲ５が、各々独立して、水素又はＣ１〜Ｃ６アルキルである、
実施態様１３０に記載のホログラフィック記録媒体。
【実施態様１３２】
Ｒ１及びＲ２が、各々独立して、Ｃ１〜Ｃ６アルキル（−ＯＨ、−ＮＲｂＲｃ、又はハロゲンで任意に置換されている）であり；及び
Ｒ３が、直鎖状若しくは分枝鎖状Ｃ１〜Ｃ１０ジアルキル、又は平均分子量が１２０００以下のポリ（エチレングリコール）である、
実施態様１３１に記載のホログラフィック記録媒体。
【実施態様１３３】
前記化学基が、以下の式：
【化４４】
2011523452.tif 000029
で表される化合物によって提供される、実施態様１３２に記載のホログラフィック記録媒体。
【実施態様１３４】
ホログラフィック記録媒体と、
前記ホログラフィック記録媒体に回折フリンジとして記録された少なくとも１つの像と、
を含むホログラフィックセンサであって、
前記回折フリンジが、橋かけ環を含む二量体化合物を含み；及び
前記ホログラフィック記録媒体が、少なくとも１つの出力信号を生成することにより外部刺激に応答する、ホログラフィックセンサ。
【実施態様１３５】
前記外部刺激が、湿度、水、気体、蒸気、有機又は無機溶剤、化学物質、金属イオン、化学物質の溶液又は分散液、圧力、温度、ｐＨ、電磁波、磁界、電界、電離放射線、タンパク質、核酸、多糖類、及び微生物のうちの１つ又は複数である、実施態様１３４に記載のホログラフィックセンサ。
【実施態様１３６】
前記出力信号が、前記ホログラフィック記録媒体に記録された少なくとも１つの像の再生波長の変動、前記ホログラフィック記録媒体に記録された追加的な像の出現、及び前記ホログラフィック記録媒体に記録された少なくとも１つの像の消失から選択される、実施態様１３４に記載のホログラフィックセンサ。
【実施態様１３７】
前記外部刺激が、湿度、酸性度、及び金属イオンから選択され、且つ前記出力信号が、前記ホログラフィック記録媒体に記録された少なくとも１つの像の再生波長の変動、前記ホログラフィック記録媒体に記録された追加的な像の出現、及び前記ホログラフィック記録媒体に記録された少なくとも１つの像の消失から選択される、実施態様１３４に記載のホログラフィックセンサ。
【実施態様１３８】
前記ホログラフィック記録媒体が、ゼラチン又はポリマーであるポリマーマトリックスをさらに含み、前記ポリマーは、２−ヒドロキシエチルメタクリレート（ＨＥＭＡ）、２−ヒドロキシプロピルメタクリレート（ＨＰＭＡ）、Ｎ，Ｎ−ジメチルアクリルアミド（ＤＭＡＡ）、ポリ（エチレングリコール）モノメタクリレート（ＰＥＧＭＡ）、酢酸ビニル、アクリルアミド、Ｎ−イソプロピルアクリルアミド、アクリル酸（ＡＡ）、メタクリル酸（ＭＡＡ）、Ｎ，Ｎ−メチレンビスアクリルアミド（ＢＩＳ）、エチレングリコールジメタクリレート（ＥＤＭＡ）、２−アクリルアミド−２−メチルプロパンスルホン酸（ＡＭＰＳ）、メタクリル酸のナトリウム塩、２−（ジメチルアミノエチル）メタクリレート（ＤＭＡＥＭＡ）、スチレン４−スルホン酸、及び２−（Ｎ，Ｎジメチル−Ｎ−（２−メタクリルオキシエチル）アンモニウム）エタン酸のうちの１種類又は複数種類の単量体のポリマーから選択される、実施態様１３４に記載のホログラフィックセンサ。
【実施態様１３９】
前記橋かけ環がシクロブチルである、実施態様１３４に記載のホログラフィックセンサ。
【実施態様１４０】
前記回折フリンジが、シンナモイル、カルコン、アントラセン、クマリン、スチルバゾリウム、マレイミド、又はそれらの誘導体のうちの１種類又は複数種類の二量体を含む、実施態様１３９に記載のホログラフィックセンサ。
【実施態様１４１】
前記回折フリンジが、式：
【化４５】
2011523452.tif 000030
で表される二量体を含み、
式中：
Ｒ１、Ｒ２、Ｒ’１、及びＲ’２は、各々独立して、Ｃ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ（各々、−ＯＨ、−ＮＲｂＲｃ、若しくはハロゲンで任意に置換されている）であり、又はＲ１及びＲ２は、それらが結合する炭素原子と共に飽和若しくは不飽和の５員若しくは６員炭化水素環若しくは複素環を形成し、ここでＣ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ及び炭化水素環又は複素環は、各々、−ＯＨ、−ＮＲｂＲｃ又はハロゲンで任意に置換されており；
Ｒ３は、窒素又は酸素に任意に置き換えられるか、及び／又は、−ＣＯＯＨ、−ＣＯＸ、−ＯＨ、−ＮＲｂＲｃ、アクリレート、メタクリレート、アクリルアミド、−ＳＲａ、−Ｓｉ（Ｒａ）２Ｘ、又はＳｉ（Ｒａ）３で任意に置換されている１個以上の炭素原子を有する直鎖状若しくは分枝鎖状Ｃ１〜Ｃ２０アルキル又はＣ３〜Ｃ１０環式アルキルであり；又はＲ３は、平均分子量が１２０００以下のポリ（エチレングリコール）（ＰＥＧ）（ここでヒドロキシル基は、アミン、−ＣＯＯＨ、−ＣＯＸ、アクリレート、メタクリレート、アクリルアミド、−ＳＲａ、−Ｓｉ（Ｒａ）２Ｘ若しくは−Ｓｉ（Ｒａ）３で任意に置換されている）であり；又はＲ３は、−（ＰＥＧ）分子量≦１２０００Ｃ（Ｏ）Ｏ−ＮＨＳ、若しくは−（ＰＥＧ）分子量≦１２０００Ｃ（Ｏ）Ｏ−スルホ−ＮＨＳであり；
Ｘは、ハロゲンであり；
Ｒａは、水素又は直鎖状若しくは分枝鎖状Ｃ１〜Ｃ１０アルキル又はＣ３〜Ｃ１０環式アルキルであり；及び
Ｒｂ及びＲｃは、各々独立して、水素又はＣ１〜Ｃ６アルキルである、
実施態様１４０に記載のホログラフィックセンサ。
【実施態様１４２】
前記回折フリンジが、式：
【化４６】
2011523452.tif 000031
で表される二量体を含み、
式中、
Ｒ’３は、直鎖状若しくは分枝鎖状Ｃ１〜Ｃ２０ジアルキル又はＣ３〜Ｃ１０環式ジアルキル（ここでＣ１〜Ｃ１０ジアルキル又はＣ３〜Ｃ１０環式ジアルキルは、窒素又は酸素に任意に置き換えられる１個以上（例えば、１、２、３、４、５、６、７、８、９、又は１０個）の炭素原子を有する）であるか、又はＲ’３は、−Ｃ（Ｏ）−、−Ｓｉ（Ｒａ）２−、若しくは−（ＰＥＧ）分子量≦１２０００−であり；及び
Ｒ４、Ｒ５及びＲ６は、各々独立して、水素であるか、又はＣ１〜Ｃ１０アルキル、Ｃ１〜Ｃ１０アルコキシ、Ｃ３〜Ｃ１０シクロアルキル、Ｃ６〜Ｃ１８アリール、Ｃ６〜Ｃ１８アリールオキシ（各々、−ＯＨ、−ＮＲｂＲｃ、若しくはハロゲンで任意に置換されている）である、
実施態様１４１に記載のホログラフィックセンサ。
【実施態様１４３】
前記ポリマーマトリックスが、２−ヒドロキシエチルメタクリレート（ＨＥＭＡ）、２−ヒドロキシプロピルメタクリレート（ＨＰＭＡ）、Ｎ，Ｎ−ジメチルアクリルアミド（ＤＭＡＡ）、ポリ（エチレングリコール）モノメタクリレート（ＰＥＧＭＡ）、酢酸ビニル、アクリルアミド、Ｎ−イソプロピルアクリルアミド、アクリル酸（ＡＡ）、メタクリル酸（ＭＡＡ）、Ｎ，Ｎ−メチレンビスアクリルアミド（ＢＩＳ）、エチレングリコールジメタクリレート（ＥＤＭＡ）、２−アクリルアミド−２−メチルプロパンスルホン酸（ＡＭＰＳ）、メタクリル酸のナトリウム塩、２−（ジメチルアミノエチル）メタクリレート（ＤＭＡＥＭＡ）、スチレン４−スルホン酸、及び２−（Ｎ，Ｎジメチル−Ｎ−（２−メタクリルオキシエチル）アンモニウム）エタン酸のうちの１種類又は複数種類の単量体のポリマーから選択される、実施態様１４２に記載のホログラフィックセンサ。
【実施態様１４４】
Ｒ１及びＲ２が、各々独立して、水素、ハロゲン、Ｃ１〜Ｃ６アルキル、又はＣ３〜Ｃ６シクロアルキル（各々、−ＯＨ、−ＮＲｂＲｃ、又はハロゲンで任意に置換されている）であり；
Ｒ’３が、直鎖状若しくは分枝鎖状Ｃ１〜Ｃ６ジアルキル又はＣ３〜Ｃ６環式ジアルキル又は平均分子量が１２０００以下のポリ（エチレングリコール）であり；
Ｒ４、Ｒ５及びＲ６が、各々独立して、水素又はＣ１〜Ｃ６アルキルである、
実施態様１４３に記載のホログラフィックセンサ。
【実施態様１４５】
Ｒ１及びＲ２が、各々独立して、Ｃ１〜Ｃ６アルキル（−ＯＨ、−ＮＲｂＲｃ、又はハロゲンで任意に置換されている）であり；及び
Ｒ’３が、直鎖状若しくは分枝鎖状Ｃ１〜Ｃ１０ジアルキル又は−（ＰＥＧ）分子量≦１２０００−である、
実施態様１４４に記載のホログラフィックセンサ。
【実施態様１４６】
前記回折フリンジが、式
【化４７】
2011523452.tif 000032
で表される二量体を含む、実施態様１４５に記載のホログラフィックセンサ。
【実施態様１４７】
支持層をさらに含む、実施態様１３４に記載のホログラフィックセンサ。
【実施態様１４８】
前記支持層が、トリアセチルセルロース（ＴＡＣ）フィルム又はポリエチレンテレフタレート（ＰＥＴ）フィルムである、実施態様１４７に記載のホログラフィックセンサ。
【実施態様１４９】
外部刺激の検出方法であって、
ホログラフィックセンサに対し、外部刺激を加え、前記ホログラフィック記録媒体が、少なくとも１つの出力信号を提供することにより外部刺激に応答する工程と、
前記少なくとも１つの出力信号を検出する工程と、
を含み、
前記ホログラフィックセンサは、
ホログラフィック記録媒体と、前記ホログラフィック記録媒体に回折フリンジとして記録された少なくとも１つの像とを含み、
前記回折フリンジは、橋かけ環を含む二量体化合物を含む、方法。
【実施態様１５０】
前記外部刺激が、湿度、水、気体、蒸気、有機又は無機溶剤、化学物質、金属イオン、化学物質の溶液又は分散液、圧力、温度、ｐＨ、電磁波、磁界、電界、電離放射線、タンパク質、核酸、多糖類、及び微生物のうちの１つ又は複数である、実施態様１４９に記載の方法。
【実施態様１５１】
前記出力信号が、前記ホログラフィック記録媒体に記録された少なくとも１つの像の再生波長の変動、前記ホログラフィック記録媒体に記録された追加的な像の出現、及び前記ホログラフィック記録媒体に記録された少なくとも１つの像の消失から選択される、実施態様１４９に記載の方法。
【実施態様１５２】
前記外部刺激が、湿度、酸性度、及び金属イオンから選択され、且つ前記出力信号が、前記ホログラフィック記録媒体に記録された少なくとも１つの像の再生波長の変動、前記ホログラフィック記録媒体に記録された追加的な像の出現、及び前記ホログラフィック記録媒体に記録された少なくとも１つの像の消失から選択される、実施態様１４９に記載の方法。
【実施態様１５３】
前記ホログラフィック記録媒体が、ポリマーマトリックスをさらに含み、
前記ポリマーマトリックスは、ゼラチン又はポリマーから選択され、
前記ポリマーは、２−ヒドロキシエチルメタクリレート（ＨＥＭＡ）、２−ヒドロキシプロピルメタクリレート（ＨＰＭＡ）、Ｎ，Ｎ−ジメチルアクリルアミド（ＤＭＡＡ）、ポリ（エチレングリコール）モノメタクリレート（ＰＥＧＭＡ）、酢酸ビニル、アクリルアミド、Ｎ−イソプロピルアクリルアミド、アクリル酸（ＡＡ）、メタクリル酸（ＭＡＡ）、Ｎ，Ｎ−メチレンビスアクリルアミド（ＢＩＳ）、エチレングリコールジメタクリレート（ＥＤＭＡ）、２−アクリルアミド−２−メチルプロパンスルホン酸（ＡＭＰＳ）、メタクリル酸のナトリウム塩、２−（ジメチルアミノエチル）メタクリレート（ＤＭＡＥＭＡ）、スチレン４−スルホン酸、及び２−（Ｎ，Ｎジメチル−Ｎ−（２−メタクリルオキシエチル）アンモニウム）エタン酸のうちの１種類又は複数種類の単量体から形成されるポリマーである、実施態様１４９に記載の方法。
【実施態様１５４】
前記干渉縞が、シンナモイル、カルコン、アントラセン、クマリン、スチルバゾリウム、マレイミド、又はそれらの誘導体のうちの１つ又は複数の二量体を含む、実施態様１４９に記載の方法。
【実施態様１５５】
前記二量体化合物がシクロブチル部分を含む、実施態様１４９に記載の方法。
【実施態様１５６】
ホログラフィックセンサの製造方法であって、
（ａ）ホログラフィック記録媒体を製造する工程と、
（ｂ）前記ホログラフィック記録媒体に少なくとも１つのホログラフィ像を回折フリンジとして記録する工程と、含み、
前記ホログラフィック記録媒体は、（ｉ）ポリマーマトリックスと、（ｉｉ）光環化付加による橋かけ環の形成により二量化する化学基とを含み、
前記回折フリンジは、橋かけ環を含む二量体化合物を含み、及び
前記ホログラフィック記録媒体は、少なくとも１つの出力信号を生成することにより外部刺激に応答する、方法。
【実施態様１５７】
工程（ａ）で製造される前記ホログラフィック記録媒体が、光増感剤をさらに含む、実施態様１５６に記載の方法。
【実施態様１５８】
工程（ａ）が、前記ホログラフィック記録媒体を、化学線、熱又はフリーラジカルに曝露する工程をさらに含む、実施態様１５６に記載の方法。
【実施態様１５９】
工程（ｂ）で記録される前記ホログラフィ像が、２３５ｎｍ〜６５０ｎｍの波長で記録される、実施態様１５６に記載の方法。